【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
正の誘電異方性を有する液晶媒体であって、式ＩＡ
【化１】
2020105524.tif 000001
で表される１または２種以上の化合物、
および
式ＩＩＡ、ＩＩＢおよびＩＩＣ
【化２】
2020105524.tif 000002
で表される化合物の群から選択される少なくとも１種の化合物
式中、
ＲＡ、Ｒ２Ａ、Ｒ２ＢおよびＲ２Ｃはそれぞれ、互いに独立して、Ｈ、非置換であるか、ＣＮまたはＣＦ３により単置換されている、またはハロゲンにより少なくとも単置換されている、１５以下のＣ原子を有するアルキルまたはアルケニルラジカルを示し、ここで、さらに、これらの基における１または２以上のＣＨ２基は
【化３】
2020105524.tif 000003
によりＯ原子が互いに直接的に結合しないように置き換えられていてもよく、
【化４】
2020105524.tif 000004
ＸＡは、Ｆ、Ｃｌ、ＣＮ、ＳＦ５、ＳＣＮ、ＮＣＳ、それぞれ６以下のＣ原子を有するハロゲン化アルキルラジカル、ハロゲン化アルケニルラジカル、ハロゲン化アルコキシラジカルまたはハロゲン化アルケニルオキシラジカルを示し、
Ｙ１〜６はそれぞれ、互いに独立して、ＨまたはＦを示し、
Ｌ１およびＬ２はそれぞれ、互いに独立して、Ｆ、Ｃｌ、ＣＦ３またはＣＨＦ２を示し、
Ｌ３〜６はそれぞれ、互いに独立して、Ｈ、Ｆ、Ｃｌ、ＣＦ３またはＣＨＦ２を示し、しかしＬ３〜６の少なくとも２つはＦ、Ｃｌ、ＣＦ３またはＣＨＦ２を示し、
Ｚ２およびＺ２’はそれぞれ、互いに独立して、単結合、−ＣＨ２ＣＨ２−、−ＣＨ＝ＣＨ−、−Ｃ≡Ｃ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−、−ＣＦ＝ＣＦ−、−ＣＨ＝ＣＨＣＨ２Ｏ−を示し、
ｐは、１または２を示し、および、Ｚ２＝単結合の場合は、ｐはまた０を示してもよく、
ｏおよびｑはそれぞれ、互いに独立して、０または１を示し、
（Ｏ）ＣｖＨ２ｖ＋１は、ＯＣｖＨ２ｖ＋１またはＣｖＨ２ｖ＋１を示し、および
ｖは、１〜６を示し、
ここで、
式ＩＡで表される少なくとも２種の化合物および式ＩＩＡで表される少なくとも２種の化合物を含有することを特徴とし、
ここでさらに、
混合物に基づいて、全体で、≧２０重量％の式ＩＡで表される化合物および式ＩＩＣで表される化合物を含有することを特徴とする、前記液晶媒体。
【請求項２】
式ＩＡ−１〜ＩＡ−５
【化５】
2020105524.tif 000005
【化６】
2020105524.tif 000006
式中、ＲＡ、ＸＡおよびＹ１〜６は請求項１による上で示される意味を有し、およびＹ７およびＹ８はそれぞれ、独立してＨまたはＦを示す、
で表される化合物から選択される１または２種以上の化合物を含有することを特徴とする、請求項１に記載の液晶媒体。
【請求項３】
以下の式：
【化７】
2020105524.tif 000007
【化８】
2020105524.tif 000008
【化９】
2020105524.tif 000009
【化１０】
2020105524.tif 000010
【化１１】
2020105524.tif 000011
式中、ＲＡおよびＸＡは、請求項１で示される意味を有する、
で表される化合物から選択される１または２種以上の化合物を含有することを特徴とする、請求項１または２に記載の液晶媒体。
【請求項４】
式ＩＡにおけるＸＡが、Ｆ、ＯＣＦ３、ＯＣＨＦ２、ＣＦ３、ＯＣＨＦ２、ＯＣＨＦＣＦ３、ＯＣＦ２ＣＨＦＣＦ３、ＣＦ＝ＣＦ２、ＣＨ＝ＣＦ２、ＯＣＦ＝ＣＦ２またはＯＣＨ＝ＣＦ２を示すことを特徴とする、請求項１〜３のいずれか一項に記載の液晶媒体。
【請求項５】
式ＩＩＡ−１〜ＩＩＣ−６
【化１２】
2020105524.tif 000012
【化１３】
2020105524.tif 000013
【化１４】
2020105524.tif 000014
【化１５】
2020105524.tif 000015
【化１６】
2020105524.tif 000016
【化１７】
2020105524.tif 000017
【化１８】
2020105524.tif 000018
【化１９】
2020105524.tif 000019
【化２０】
2020105524.tif 000020
【化２１】
2020105524.tif 000021
【化２２】
2020105524.tif 000022
式中、ａｌｋｙｌおよびａｌｋｙｌ＊はそれぞれ、互いに独立して、１〜６のＣ原子を有する直鎖のアルキルアルキルラジカルを示し、ａｌｋｅｎｙｌは、２〜６のＣ原子を有する直鎖のアルケニルラジカルを示し、（Ｏ）は、酸素原子または単結合を示し、およびｐは、１または２を示す、
で表される１または２種以上の化合物を含有することを特徴とする、請求項１〜４のいずれか一項に記載の液晶媒体。
【請求項６】
式ＩＩＩおよび／ＩＶ
【化２３】
2020105524.tif 000023
式中、
Ｒ０は、１〜１５のＣ原子を有するハロゲン化または非置換のアルキルまたはアルコキシラジカルを示し、ここで、さらに、これらのラジカルにおける１または２以上のＣＨ２基はそれぞれ、互いに独立して、
【化２４】
2020105524.tif 000024
によりＯ原子が互いに直接的に結合しないように置き換えられていてもよく、
Ｘ０は、Ｆ、Ｃｌ、ＣＮ、ＳＦ５、ＳＣＮ、ＮＣＳ、それぞれ６以下のＣ原子を有するハロゲン化アルキルラジカル、ハロゲン化アルケニルラジカル、ハロゲン化アルコキシラジカルまたはハロゲン化アルケニルオキシラジカルを示し、および
Ｙ１〜６はそれぞれ、互いに独立して、ＨまたはＦを示し、
【化２５】
2020105524.tif 000025
から選択される１または２種以上の化合物をさらに含有することを特徴とする、請求項１〜５のいずれか一項に記載の液晶媒体。
【請求項７】
式Ｖ〜ＩＸ
【化２６】
2020105524.tif 000026
式中、
Ｒ０は、１〜１５のＣ原子を有するハロゲン化または非置換のアルキルまたはアルコキシラジカルを示し、ここで、さらに、これらのラジカルにおける１または２以上のＣＨ２基はそれぞれ、互いに独立して、
【化２７】
2020105524.tif 000027
により、Ｏ原子が互いに直接的に結合しないように置き換えられていてもよく、
Ｘ０は、Ｆ、Ｃｌ、ＣＮ、ＳＦ５、ＳＣＮ、ＮＣＳ、６以下のＣ原子を有するハロゲン化アルキルラジカル、ハロゲン化アルケニルラジカル、ハロゲン化アルコキシラジカルまたはハロゲン化アルケニルオキシラジカルを示し、
Ｙ１〜４はそれぞれ、互いに独立して、ＨまたはＦを示し、
Ｚ０は、−Ｃ２Ｈ４−、−（ＣＨ２）４−、−ＣＨ＝ＣＨ−、−ＣＦ＝ＣＦ−、−Ｃ２Ｆ４−、−ＣＨ２ＣＦ２−、−ＣＦ２ＣＨ２−、−ＣＨ２Ｏ−、−ＯＣＨ２−、−ＣＯＯ−または−ＯＣＦ２−を、式ＶＩおよびＶＩＩにおいては単結合もまた、ならびに式ＶＩおよびＩＸにおいては−ＣＦ２Ｏ−もまた示し、
ｒは、０または１を示し、および
ｓは、０または１を示す、
から選択される１または２種以上の化合物をさらに含有することを特徴とする、請求項１〜６のいずれか一項に記載の液晶媒体。
【請求項８】
式Ｘ〜ＸＩＩＩ
【化２８】
2020105524.tif 000028
式中、Ｘ０は請求項７で示される意味を有し、および
Ｌは、ＨまたはＦを示し、
「ａｌｋｙｌ」は、Ｃ１〜６−アルキルを示し、
Ｒ’は、Ｃ１〜６−アルキル、Ｃ１〜６−アルコキシまたはＣ２〜６−アルケニルを示し、および
「ａｌｋｅｎｙｌ」および「ａｌｋｅｎｙｌ＊」はそれぞれ、互いに独立して、Ｃ２〜６−アルケニルを示す、
から選択される１または２種以上の化合物をさらに含有することを特徴とする、請求項１〜７のいずれか一項に記載の液晶媒体。
【請求項９】
式ＸＩＶ
【化２９】
2020105524.tif 000029
式中、Ｒ１およびＲ２はそれぞれ、互いに独立して、それぞれ６以下のＣ原子を有する、ｎ−アルキル、アルコキシ、オキサアルキル、フルオロアルキルまたはアルケニルを示す、
で表される１または２種以上の化合物をさらに含有することを特徴とする、請求項１〜８のいずれか一項に記載の液晶媒体。
【請求項１０】
式ＸＶＩＩ
【化３０】
2020105524.tif 000030
式中、Ｒ１およびＲ２はそれぞれ、互いに独立して、６以下のＣ原子を有するｎ−アルキル、アルコキシ、オキサアルキル、フルオロアルキルまたはアルケニルを示し、およびＬは、ＨまたはＦを示す、
で表される１または２種以上の化合物をさらに含有することを特徴とする、請求項１〜９のいずれか一項に記載の液晶媒体。
【請求項１１】
式ＸＸＶＩＩＩ〜ＸＸＸＩ
【化３１】
2020105524.tif 000031
式中、Ｒ０およびＸ０は、請求項７に示される意味を有する、
で表される化合物の群から選択される１または２種以上の化合物を含有することを特徴とする、請求項１〜１０のいずれか一項に記載の液晶媒体。
【請求項１２】
式ＸＩＸ、ＸＸ、ＸＸＩ、ＸＸＩＩ、ＸＸＩＩＩおよびＸＸＩＶ
【化３２】
2020105524.tif 000032
式中、Ｒ０およびＸ０は、請求項７で示される意味を有し、およびＹ１〜４はそれぞれ、互いに独立して、ＨまたはＦを示す、
で表される化合物の群から選択される１または２種以上の化合物を含有することを特徴とする、請求項１〜１１のいずれか一項に記載の液晶媒体。
【請求項１３】
≧２０重量％の式Ｘｂ
【化３３】
2020105524.tif 000033
式中、ａｌｋｙｌは、請求項５で示される意味を有する、
で表される化合物を含有することを特徴とする、請求項１〜１２のいずれか一項に記載の液晶媒体。
【請求項１４】
混合物に基づいて、全体で、≧２０重量％の式ＩＡで表される化合物および式ＩＩＢで表される化合物を含有することを特徴とする、請求項１〜１３のいずれか一項に記載の液晶媒体。
【請求項１５】
２０℃および１ｋＨｚにおいて＞１．５の誘電異方性（Δε）を有することを特徴とする、請求項１〜１４のいずれか一項に記載の液晶媒体。
【請求項１６】
ＵＶ安定剤、ドーパントおよび抗酸化剤の群から選択される１または２種以上の添加剤をさらに含有することを特徴とする、請求項１〜１５のいずれか一項に記載の液晶媒体。
【請求項１７】
１または２種以上の重合性化合物をさらに含有することを特徴とする、請求項１〜１６のいずれか一項に記載の液晶媒体。
【請求項１８】
請求項１に定義される式ＩＡで表される１または２種以上の化合物および式ＩＩＡ、ＩＩＢおよびＩＩＣで表される化合物の群から選択される１または２種以上の化合物を、１または２種以上のメソゲン性化合物とともに、およびまた任意に１または２種以上の添加剤および／または少なくとも１種の重合性化合物とともに混合することを特徴とする、請求項１〜１７のいずれか一項に記載の液晶媒体の調製方法。
【請求項１９】
電気光学目的のための、請求項１〜１７のいずれか一項に記載の液晶媒体の使用。
【請求項２０】
シャッターガラスにおける、３Ｄ用途のための、ＴＮ、ＰＳ−ＴＮ、ＳＴＮ、ＴＮ−ＴＦＴ、ＯＣＢ、ＩＰＳ、ＰＳ−ＩＰＳ、ＦＦＳ、ＰＳ−ＦＦＳおよびＰＳ−ＶＡ−ＩＰＳディスプレイにおける、請求項１９に記載の液晶媒体の使用。
【請求項２１】
請求項１〜１７のいずれか一項に記載の液晶媒体を含有する、電気光学液晶ディスプレイ。